(57)【要約】【目的】本発明は、折板屋根の流れ方向としての屋根板材の長手方向が長尺で、その長手方向に熱伸縮が発生しても、良好に対応できること。【構成】屋根面固定部１と該屋根面固定部１の下方位置側に対し略平行状態にねじりバネ３が内蔵されたバネ収納ケース２とを備えた屋根面固定部材Ａと、固定台座本体４とからなること。ねじりバネ３の巻き線部３３の内径箇所は固定台座本体４上に設けたボルト５ａに固定されていること。ねじりバネ３の両開き線部３１，３２はバネ収納ケース２から飛び出して固定台座本体４に係止されつつ、屋根面固定部材Ａが固定台座本体４に対して適宜可動するように構成されてなること。【選択図】      図１
2011106237.tif 000002
【特許請求の範囲】
【請求項１】
屋根面固定部と該屋根面固定部の下方位置側に対し略平行状態にねじりバネが内蔵されたバネ収納ケースとを備えた屋根面固定部材と、固定台座本体とからなり、前記ねじりバネの巻き線部内径箇所は前記固定台座本体上に設けたボルトに固定され、前記ねじりバネの両開き線部は前記バネ収納ケースから飛び出して前記固定台座本体に係止されつつ、前記屋根面固定部材が前記固定台座本体に対して適宜可動するように構成されてなることを特徴とする折板屋根受具。
【請求項２】
請求項１において、前記バネ収納ケースには長孔が形成され、この長さの範囲内において可動できるようにしてなることを特徴とする折板屋根受具。
【請求項３】
請求項１において、前記屋根面固定部は、馳締用の吊子としてなることを特徴とする折板屋根受具。  
【請求項４】
屋根面固定部が取付けられ、且つ摺動部材を有する屋根面固定部材と、固定台座本体の内部に対し略垂直状態にねじりバネが内蔵されたバネ収納ケースとを備えた固定台座本体とからなり、前記ねじりバネの巻き線部内径箇所は前記固定台座本体に設けたボルトに固定され、前記ねじりバネの両開き線部は前記バネ収納ケースから飛び出して前記摺動部材に係止されつつ、前記屋根面固定部材が前記固定台座本体に対して適宜可動するように構成されてなることを特徴とする折板屋根受具。
【請求項５】
請求項４において、前記バネ収納ケースの上部には固定側開口が形成され、この長さの範囲内において可動できるようにしてなることを特徴とする折板屋根受具。
【発明の詳細な説明】
【技術分野】
【０００１】
本発明は、折板屋根の流れ方向としての屋根板材の長手方向が長尺で、その長手方向に熱伸縮が発生しても、良好に対応できる折板屋根受具に関する。
【背景技術】
【０００２】
従来より、折板屋根流れ方向としての屋根板材の長手方向が長尺な場合において、熱伸縮に対応するように種々開発されている。その折板屋根において、山部と谷部とが連続する折板屋根では、外気温度の変化によって、屋根板材の長手方向が長尺な場合、その長手方向に沿って伸縮する。この伸縮量は、夏等の高温時には極めて大きく、熱歪が発生することにより、特に馳締等の連結部の吊子及び支持具による固定箇所では、熱伸縮による大きな歪が現れて、きしみ音が出る音鳴り現象が発生していたので、これを解消すべく、熱伸縮に対応して適宜可動する可動型屋根受具（スライド型固定金具ともいう。）が開発されており、この種のものとして特許文献１及び特許文献２に開示されている。
【０００３】
該可動型屋根受具は、施工時の温度条件並びに、完成後の使用状態における伸び側、縮み側の変位を吸収するため、確実にスライド代を確保する必要がある。しかし、施工時、スライド中央位置に吊子をセットした（センタリング）状態で可動型屋根受具を取り付けても、その後屋根葺き作業等を行うと、その段階で可動型屋根受具の吊子が勝手にスライドしてしまい、不適切な（伸縮吸収代が無い）位置で屋根材に固定されることがしばしば生じ得る。この場合、伸縮代のない可動型屋根受具に熱伸縮力が集中し、可動型屋根受具が破損する虞も生じていた。折板屋根の屋根板材によって施工された屋根で、特に大形建造物においては、従来の可動型屋根受具を使用しても、そのスライド性能が十分発揮されないことがあった。また、固定型屋根受具（拘束型固定金具ともいう。）に対して、屋根板材の過大な熱伸縮による荷重が働き、前記固定型屋根受具には損傷が引き起こされることがあった。
【先行技術文献】
【特許文献】
【０００４】
【特許文献１】特開２００８−２５５６４８
【特許文献２】特開２００９−２０３７１８
【発明の概要】
【発明が解決しようとする課題】
【０００５】
このような破損については次の要因が考えられる。折板屋根板材には、熱伸縮力以外に、屋根板材自身の重量、積雪荷重、風荷重、地震荷重等の様々の負荷が掛かる。これらの負荷が掛かった状態では、円滑にスライドしないことが生じ得る。また建物の供用期間中にはこれらの負荷により、躯体や屋根板材が変形し、スライド性能が低下することが考えられる。一般には、熱伸縮に対応できるような可動型屋根受具については、特許文献１及び特許文献２に開示されているが、これらの特許文献１，２では上記の問題点や或は施工時、スライド中央位置から吊子がずれてしまうという不都合な点は解決されていない。
【０００６】
また、一般に、二重屋根に使用される固定型屋根受具の方が熱伸縮による負荷は大きい。これは、二重屋根を使用する建物では、空調等を備えることが一般であり、そのために、躯体や二重屋根の下葺き用の屋根板材の温度条件の変動が小さく、上葺き用の屋根板材の温度変化がそのまま熱伸縮負荷として断熱具にかかることになる。また、上葺き屋根板材の下に断熱材があることで、熱が上葺き屋根板材の下に逃げにくくなるため、上葺き屋根板材の温度変動が大きくなり、可動型屋根受具の開発の要望がある。
【０００７】
本発明が解決しようとする課題（技術的課題又は目的等）は、折板屋根の流れ方向としての屋根板材の長手方向が長尺で、その長手方向に熱伸縮が発生しても、良好に追従することができ、弾性力にて復元機能を持たせるようにすることを実現することにある。    
【課題を解決するための手段】
【０００８】
そこで、発明者は上記課題を解決すべく鋭意，研究を重ねた結果、請求項１の発明を、屋根面固定部と該屋根面固定部の下方位置側に対し略平行状態にねじりバネが内蔵されたバネ収納ケースとを備えた屋根面固定部材と、固定台座本体とからなり、前記ねじりバネの巻き線部内径箇所は前記固定台座本体上に設けたボルトに固定され、前記ねじりバネの両開き線部は前記バネ収納ケースから飛び出して前記固定台座本体に係止されつつ、前記屋根面固定部材が前記固定台座本体に対して適宜可動するように構成されてなることを特徴とする折板屋根受具としたことにより、前記課題を解決した。
【０００９】
請求項２の発明を、請求項１において、前記バネ収納ケースには長孔が形成され、この長さの範囲内において可動できるようにしてなることを特徴とする折板屋根受具としたことにより、前記課題を解決した。請求項３の発明を、請求項１において、前記屋根面固定部は、馳締用の吊子としてなることを特徴とする折板屋根受具としたことにより、前記課題を解決した。  
【００１０】
請求項４の発明を、屋根面固定部が取付けられ、且つ摺動部材を有する屋根面固定部材と、固定台座本体の内部に対し略垂直状態にねじりバネが内蔵されたバネ収納ケースとを備えた固定台座本体とからなり、前記ねじりバネの巻き線部内径箇所は前記固定台座本体に設けたボルトに固定され、前記ねじりバネの両開き線部は前記バネ収納ケースから飛び出して前記摺動部材に係止されつつ、前記屋根面固定部材が前記固定台座本体に対して適宜可動するように構成されてなることを特徴とする折板屋根受具としたことにより、前記課題を解決した。請求項５の発明を、請求項４において、前記バネ収納ケースの上部には固定側開口が形成され、この長さの範囲内において可動できるようにしてなることを特徴とする折板屋根受具としたことにより、前記課題を解決したものである。
【発明の効果】
【００１１】
請求項１の発明においては、折板屋根の流れ方向としての屋根板材の長手方向が長尺で、その長手方向に熱伸縮が発生しても、良好に追従することができ、弾性力にて復元機能を持たせるようにすることができる。特に、折板屋根が熱伸縮しても、旧位置に復帰するように付勢されてなるねじりバネが存在するこことで、常に、熱伸縮力に対しての反力（抵抗力）が発生することとなり、折板屋根を伸びにくくすると同時に熱歪み等を最小限にできる折板屋根受具を提供できる。さらに、本発明では、水平状の座金などが存在するような吊子タイプに良好に対応できる。請求項２の発明では、その長孔の範囲で、摺動して復帰するようにできる。請求項３の発明では、馳締タイプの折板屋根の熱伸縮に良好に対応できる。請求項２及び３においては、請求項１と同様の効果を奏する。さらに、請求項４の発明では、バネ収納ケースが縦型であり、スリムなタイプの折板屋根受具として提供できる。請求項５の発明では、請求項２の発明と同様な効果を発揮しうる。
【図面の簡単な説明】
【００１２】
【図１】（Ａ）は本発明の第１実施形態の斜視図、（Ｂ）は（Ａ）の分解斜視図である。
【図２】（Ａ）は第１実施形態の本発明を取り付けた馳締折板屋根の一部正面図、（Ｂ）は（Ａ）の（ア）部の一部断面とした拡大図、（Ｃ）は第１実施形態の本発明を取り付けた馳締折板屋根の一部斜視図である。
【図３】（Ａ）は第１実施形態の本発明の断面図、（Ｂ）は（Ａ）のＸ１−Ｘ１矢視断面図、（Ｃ）は（Ａ）のＹ１−Ｙ１矢視の一部断面とした正面図である。
【図４】（Ａ）は第１実施形態の本発明を設置後において左方に熱伸長したときの要部平面図、（Ｂ）は（Ａ）の（イ）部拡大図、（Ｃ）は第１実施形態の本発明を設置後において右方に熱伸長したときの要部平面図、（Ｄ）は（Ｃ）の（ウ）部拡大図である。
【図５】（Ａ）は第２実施形態の本発明の断面図、（Ｂ）は（Ａ）の側面図、（Ｃ）は（Ａ）の一部断面とした分解図である。
【図６】（Ａ）は第２実施形態の本発明を取り付けた二重の馳締折板屋根の一部正面図、（Ｂ）は（Ａ）の（エ）部拡大図、（Ｃ）は分割本体の斜視図である。
【図７】（Ａ）は第２実施形態の分割本体の一方側の斜視図、（Ｂ）は屋根面固定部材の斜視図、（Ｃ）はねじりバネ付きバネ収納ケースの斜視図、（Ｄ）は（Ｃ）のＹ２−Ｙ２矢視断面図、（Ｅ）は摺動部材の斜視図、（Ｆ）は第２実施形態の分割本体の他方側の斜視図である。
【図８】（Ａ）は第２実施形態の本発明の一部断面とした側面図、（Ｂ）は第２実施形態の本発明を設置後において左方に熱伸長したときの要部側面図、（Ｃ）は第２実施形態の本発明を設置後において右方に熱伸長したときの要部側面図である。
【図９】（Ａ）は第２実施形態の本発明を嵌合折板屋根に取り付けた要部断面図、（Ｂ）は（Ａ）に使用した主要部材の断面図、（Ｃ）は第２実施形態の本発明を重合折板屋根に取り付けた要部断面図、（Ｄ）は第２実施形態の本発明を別の嵌合折板屋根に取り付けた要部断面図である。
【発明を実施するための形態】
【００１３】
以下、本発明の２つの実施形態について図面に基づいて説明すると、図１乃至図４は第１実施形態である。本発明の第１実施形態は、図１に示すように、主に、ねじりバネ３（「ねじりコイルバネ」ともいう。）が内蔵されたバネ収納ケース２付きの屋根面固定部材Ａと、山形状又は門形状の固定台座本体４とで構成されている。前記屋根面固定部材Ａは、屋根面固定部１と該屋根面固定部１の下方位置側に対し略平行状態にねじりバネ３が内蔵されたバネ収納ケース２とを備えている。前記ねじりバネ３は、適宜なバネ定数で、線形として構成され、例えば、数十ｋｇで揺動するように構成されている。また、この値よりも大きくても小さくても、本発明の権利範囲内である。
【００１４】
前記屋根面固定部１は、折板状の折板屋根Ｒにおける連結部などに固定される部位であり、馳締式の折板屋根Ｒでは、吊子１１としての役割をなす〔図１（Ａ）及び（Ｂ）参照〕。該吊子１１に限定されないが、代表の一例として説明する。該吊子１１は、屋根板材１０の馳部に係止する馳部１１ａと、その下方の取付用のＬ字型部１１ｂとから構成されている。前記馳部１１ａが前記折板屋根Ｒにおける連結部に固定され、該折板屋根Ｒの熱伸縮に対応して可動するようになっている。
【００１５】
前記バネ収納ケース２は、図1（Ｂ），図２（Ｂ）及び図３（Ｃ）に示すように、扁平水平の箱状をなし、内部に前記ねじりバネ３が横になった状態で内蔵され、且つ該ねじりバネ３の巻き線部３３の内径箇所が前記固定台座本体４の段付き部４１に設けられた垂直状のボルト５ａ箇所に移動可能に取り付けられている。前記吊子１１のＬ字型部１１ｂの下側は、前記バネ収納ケース２の下部に固定されている。さらに、具体的には、該ボルト５ａの外周にカラー５ｄが遊挿され、高さＨを保持するように構成され、前記カラー５ｄの外周に前記ねじりバネ３の巻き線部３３が遊挿されている。
【００１６】
このような状態下において、前記ボルト５ａ上端に座金５ｃを介してナット５ｂが螺合され、前記カラー５ｄの高さＨを保持することで、前記バネ収納ケース２及びＬ字型部１１ｂの底部に設けられた長孔２１の範囲内において、前記固定台座本体４の段付き部４１の水平部に対して摺動可能にされている。そして、前記ねじりバネ３の両開き線部３１，３２は前記バネ収納ケース２及び前記Ｌ字型部１１ｂの横の長孔状の可動側開口２２から飛び出して前記固定台座本体４の設けられた長孔状の固定台開口４２に係止されている。
【００１７】
まず、施工時においては、折板屋根Ｒの屋根板材１０を、本発明の折板屋根受具を介して取付けたときには、図３（Ｂ）に示すように、前記ねじりバネ３の両開き線部３１，３２が均等の力で作用しており、前記可動側開口２２及び前記固定台開口４２の中立位置として左右対称状態を保持している。つまり、屋根施工直後であっても、常に、前記吊子１１のセンタリングが保持できるものである。
【００１８】
そして、施工後において、前記折板屋根Ｒの屋根板材１０が長手方向に熱伸縮した場合であって、例えば、図４において、紙面の左側に伸張したときには、前記屋根板材１０に固定されている屋根面固定部材Ａと前記バネ収納ケース２は、同時に紙面の左側に移動する。すると、前記ねじりバネ３の巻き線部３３は、図４（Ａ）及び（Ｂ）に示すように、前記固定台座本体４の段付き部４１に設けられた垂直状のボルト５ａ箇所に移動不能に取り付けられていることで、前記ねじりバネ３の開き線部３１が前記可動側開口２２の一方側（同図において右側）で押圧されつつねじられ、反力Ｐ１が生ずる。つまり、折板屋根Ｒの熱による伸長に対して前記ねじりバネ３の付勢力が作用し、左側への伸長を抑制する作用をなす。
【００１９】
また、例えば、図４において、紙面の右側に伸張したときには、前記屋根板材１０に固定されている屋根面固定部材Ａと前記バネ収納ケース２は、同時に紙面の右側に移動する。すると、前記ねじりバネ３の巻き線部３３は、図４（Ｃ）及び（Ｄ）に示すように、前記ボルト５ａ箇所に移動不能に取り付けられていることで、前記ねじりバネ３の開き線部３２が前記可動側開口２２の他方側（同図において左側）で押圧されつつねじられ、反力Ｐ２が生ずる。つまり、折板屋根Ｒの熱による伸長に対して前記ねじりバネ３の付勢力が作用し、右側への伸長を抑制する作用をなす。
【００２０】
次に、第２実施形態を、図５乃至図９に基づいて説明する。この折板屋根受具は、主に、二重屋根に使用するタイプであり、屋根面固定部材Ａと、略垂直状態にねじりバネ３が内蔵されたバネ収納ケース２とを備えた固定台座本体４とから構成されている。前記屋根面固定部材Ａは、屋根面固定部１が取付けられる合成樹脂製の断熱性能を有する部材である。つまり、断面？状の吊子１１を取付けるためである。特に、前記屋根面固定部材Ａの下側には、同時に可動する摺動部材１５が固着されている。この場合の屋根面固定部材Ａは、実施形態では、吊子を右側の段部箇所に載置取付できる吊子取付部と、その左側も同時に可動する折板屋根肩部受部との２つの役割をなす。
【００２１】
前記バネ収納ケース２は、図７（Ｃ）及び（Ｄ）に示すように、扁平垂直の箱状をなし、内部に前記ねじりバネ３が縦になった状態で内蔵され、且つ該ねじりバネ３の巻き線部３３の内径箇所が前記固定台座本体４の中央対向間隔部４４〔図６（Ｃ）参照〕に設けられた水平状のボルト５ａ箇所に移動不能に取り付けられている。さらに、具体的には、前記ボルト５ａの外周にカラー５ｄが遊挿され、間隔Ｌを保持するように構成され〔図５（Ａ）参照〕、前記カラー５ｄの外周に前記ねじりバネ３の巻き線部３３が遊挿されている。このような状態下において、前記ねじりバネ３の両開き線部３１，３２は前記バネ収納ケース２上の長孔状の固定側開口２３から飛び出して前記固定台座本体４の上部に摺動可能に設けられた前記摺動部材１５の開口穴１５ａに係止されている。
【００２２】
まず、施工時においては、折板屋根Ｒの屋根板材１０を、本発明の折板屋根受具を介して取付けたときには、図８（Ａ）に示すように、前記ねじりバネ３の両開き線部３１，３２が均等の力で作用しており、前記固定側開口２３の中立位置として左右対称状態を保持している。つまり、屋根施工直後であっても、常に、前記吊子１１のセンタリングが保持できる。
【００２３】
施工後において、前記折板屋根Ｒの屋根板材１０が長手方向に熱伸縮した場合であって、例えば、図８において、紙面の左側に伸張したときには、前記屋根板材１０に固定されている屋根面固定部材Ａと摺動部材１５は同時に紙面の左側に移動する。すると、前記ねじりバネ３の巻き線部３３は、図８（Ｂ）に示すように、前記バネ収納ケース２が水平状のボルト５ａ箇所に移動不能に取り付けられていることで、前記ねじりバネ３の開き線部３１が摺動部材１５の開口穴１５ａに挿入され、且つ前記固定側開口２３の一方側（同図において左側）で押圧されつつねじられ、反力Ｐ３が生ずる。つまり、折板屋根Ｒの熱による伸長に対して前記ねじりバネ３の付勢力が作用し、左側への伸長を抑制する作用をなす。
【００２４】
また、例えば、図８において、紙面の右側に伸張したときには、前記屋根板材１０に固定されている屋根面固定部材Ａと摺動部材１５は同時に紙面の右側に移動する。すると、前記ねじりバネ３の巻き線部３３は、図８（Ｃ）に示すように、前記バネ収納ケース２が水平状のボルト５ａ箇所に移動不能に取り付けられていることで、前記ねじりバネ３の開き線部３１が摺動部材１５の開口穴１５ａに挿入され、且つ前記固定側開口２３の他方側（同図において右側）で押圧されつつねじられ、反力Ｐ４が生ずる。つまり、折板屋根Ｒの熱による伸長に対して前記ねじりバネ３の付勢力が作用し、左側への伸長を抑制する作用をなすものである。
【００２５】
以上のように本発明の第１実施形態及び第２実施形態では、折板屋根において馳締タイプであったが、これに限定されない。すなわち、図９（Ａ）に示すような屋根板材１０とキャップ材１０ｂとを嵌合して屋根葺成する嵌合タイプの折板屋根にも適用できる。さらに、図９（Ｃ）に示すような重合タイプの折板屋根にも、図９（Ｄ）に示すような別の嵌合タイプの折板屋根にも適用できることは勿論である。
【符号の説明】
【００２６】
１…屋根面固定部、２…バネ収納ケース、２１…長孔、２３…固定側開口、
３…ねじりバネ、３１，３２…開き線部、３３…巻き線部、４…固定台座本体、
５ａ…ボルト、Ａ…屋根面固定部材。
【図１】
2011106237.tif 000003
【図２】
2011106237.tif 000004
【図３】
2011106237.tif 000005
【図４】
2011106237.tif 000006
【図５】
2011106237.tif 000007
【図６】
2011106237.tif 000008
【図７】
2011106237.tif 000009
【図８】
2011106237.tif 000010
【図９】
2011106237.tif 000011